(57)【要約】  内面（１２ｂ）および開口部（１３）を有し、その内面（１２ｂ）の任意の点が放射状に外側に配列された上記内面（１２ｂ）の他の点の高さに少なくとも等しい高さで配置された環状上部壁（１２）を有する管状体（１０）を含む種類の缶用注ぎ蓋。注ぎ蓋（２０）は、開口部（１３）に取り外し可能に固定されて保持され、中央開口部（２１ａ）を設けられた閉じ壁（２１）を含み、遮断具（３０）を全体的に設けられた管状突起（２７）を外部に保持し、缶に搭載されるとき、注ぎ蓋（２０）の閉じ壁（２１）の内面の点が、管状体（１０）の内部で測定して、環状上部壁（１２）の内面（１２ｂ）の任意の他の点の高さに少なくとも等しい高さで配置される。
2008540267.tif 000002
【特許請求の範囲】
【請求項１】
少なくとも１個の周辺側壁（１１）および周辺側壁（１１）に固定された外縁部（１２ａ）を備える環状上部壁（１２）を有する管状体と、管状体（１０）の内部に曲げられた内面（１２ｂ）と、開口部（１３）を画定する内縁部（１２ｃ）とを含み、前記環状上部壁（１２）が、管状体（１０）の内部で測定して、内面（１２ｂ）の任意の点が前記点に対して放射状に外側に配列された隣接する前記内面（１２ｂ）の他の点の高さに少なくとも等しい高さで配置され、注ぎ蓋（２０）が開口部（１３）に取り外し可能に固定されて開口部を閉じるために保持される種類の缶用注ぎ蓋であって、前記注ぎ蓋（２０）が、中央開口部（２１ａ）を設けられて中央開口部（２１ａ）に配列された管状突起（２７）を外部に保持する閉じ壁（２１）を含み、缶に搭載された状態で、注ぎ蓋（２０）の閉じ壁（２１）の内面の任意の点が、管状体（１０）の内部で測定して、環状上部壁（１２）の内面（１２ｂ）の任意の他の点の高さに少なくとも等しい高さで配置されることを特徴とする、注ぎ蓋。
【請求項２】
中心が管状体（１０）の軸に直交する面（Ｐ）に存在して前記面（Ｐ）と中央で交差する円弧の少なくとも一部によって画定される断面を備える円周リブ（１５）を形成するために、環状上部壁（１２）の内面縁部（１２ｃ）が上方へ放射状に外側に曲げられ、前記注ぎ蓋（２０）が、円弧の形の断面を有する円周クレードル（２３）を外部に設けられた周辺側壁（２２）を有し、その内部に円周リブ（１５）の円弧の形状の部分が固定されることを特徴とする、請求項１に記載の蓋。
【請求項３】
注ぎ蓋（２０）の円周クレードル（２３）に円周リブを固定する際に、蓋（２０）の周辺側壁（２２）が、円周リブ（１５）上に着座した外部周辺フランジ（２４）を組み込む上部領域を有し、蓋が開口部（１３）の閉口を維持することを特徴とする、請求項２に記載の蓋。
【請求項４】
蓋（２０）を閉じる際に、外部周辺フランジ（２４）が、連続的であり缶の環状上部壁（１２）の隣接部分に着座することを特徴とする、請求項３に記載の蓋。
【請求項５】
注ぎ蓋（２０）の閉じ壁（２１）が、そこから上方に周辺側壁（２２）が突出する窪んだ外縁部（２５）を含むことを特徴とする、請求項１に記載の蓋。
【請求項６】
注ぎ蓋（２０）の閉じ壁（２１）が、窪んだ外縁部（２５）と周辺側壁（２２）を含むその展伸部全体で、管状体（１０）の環状上部壁（１２）の内面（１２ｂ）よりも低くないレベルに留まるように構成されることを特徴とする、請求項５に記載の蓋。
【請求項７】
注ぎ蓋（２０）の閉じ壁（２１）によって保持される管状突起（２７）が、閉じ壁（２１）の開口部（２１ａ）に配列された注ぎ口を画定することを特徴とする、請求項１に記載の蓋。
【請求項８】
管状突起（２７）が、注ぎ蓋（２０）の閉じ壁（２１）に単一部品で組み込まれることを特徴とする、請求項１に記載の蓋。
【請求項９】
注ぎ蓋（２０）が、プラスチック、金属、またはその混合物など任意の材料から形成されることを特徴とする、請求項１に記載の蓋。
【請求項１０】
注ぎ蓋（２０）の閉じ壁（２１）の管状突起（２７）が、その自由端部領域に、閉口と開口の蓋位置の間で手動作動することのできる遮断具（３０）を設けられることを特徴とする、請求項１から９のいずれか一項に記載の蓋。
【請求項１１】
遮断具（３０）が、蝶番および遮断具（３０）を保持するための輪として働くプラスチック帯（３１）によって前記管状突起（２７）に結合されたプラグによって画定されることを特徴とする、請求項１０に記載の蓋。
【請求項１２】
プラスチック帯（３１）が、管状突起（２７）の自由端部へ遮断具（３０）の側部を結合することを特徴とする、請求項１１に記載の蓋。
【発明の詳細な説明】
【技術分野】
【０００１】
本発明は、一般に金属シートで形成されて多角形または円形断面を有し、缶の中に粒子または液体形状で貯蔵されたバルク製品を段階的に消費する間に、複数回の開閉動作を可能とする種類の端部上部蓋を設けた缶に用いられる注ぎ蓋に関する。
【背景技術】
【０００２】
本明細書で考えている種類の缶は、全体的に同じ出願人によるブラジル国特許出願第ＰＩ０３０６６０８−８号明細書に記載され、１個以上の周辺側壁によって形成される管状体を含み、その下縁部は二重継ぎされているかまたは底部壁に組み込まれ、その上縁部は二重継ぎされているかまたは上部環状壁の外周縁部に固定され、中央開口を画定して受容物の内部にアクセスする内周縁部を有し、その上に着座して再び閉じることができ、金属シートまたはプラスチック材料で作ることのできる蓋を保持する座が構成される。
【０００３】
既知の缶構造の多くの解決策において、その外周縁部とその内周縁部の間に画定されて缶の内部にアクセスする開口部を形成された環状上部壁の放射状展伸部には、缶が反転されたとき、やはり缶の環状上部壁上にその開口に向かって着座して、バルク製品の自由な放射状の重力方向の流れを阻害する障壁を画定する少なくとも１個の周縁領域が設けられる。
【０００４】
同じ出願人による上記先行特許出願第ＰＩ０３０６６０８−８号明細書は、使用者が環状上部壁を備えるこの型の缶に収容されたバルク製品全体を注ぎ出さなければならず、単に重力効果によって缶内部から全ての製品を取り出すのは実際には不可能でありまたは非常に手間のかかることであるという、周知の困難性について記述する。蓋を取り去った後、缶を反転させたときに、粉体であれ、粒状または液状であれ、少量の製品が環状上部壁に残り易いことが記述される。
【０００５】
上述の欠点のため、上記特許出願第ＰＩ０３０６６０８−８号明細書に提案された解決策は、缶が開口され反転されたとき、環状上部壁に付着した貯蔵製品が重力によって放射状に缶の開口部に向かって缶から外側に流れることのできる缶を提供する。
【０００６】
さらに上述の特許出願は、缶の動作中に製品の貯蔵容器として開口と密閉を複数回行うことのできる蓋が着座するシートを缶の環状上部壁に提供する。
【０００７】
本出願人のこの先行構造提案によれば、管状体の環状上部壁は、その内面の任意の点が、管状体の内部で測定して、この点に対して放射状に外側に配列され隣接して配置されたこの内面の他の点の高さに少なくとも等しい高さで配置されるように作られる。
【０００８】
上述の構造は、缶の環状上部壁が１種のホッパーとして働き、缶が反転されたとき、製品を管状体の開口部へ向かって導き、缶の管状体の内部に含まれる製品の流れを可能にする。
【発明の開示】
【発明が解決しようとする課題】
【０００９】
上述の解決策は、蓋を取り除き容器を反転させたとき、缶に貯蔵されたバルク製品が上記缶の内部から完全に流れることを可能にするが、缶の環状上部壁の開口を通ってバルク製品の流れを制御して導くにはいくつかの困難性があり、ある量の粒子状材料が洗濯機の石鹸および洗剤貯蔵器に供給されるとき、または比較的正確な量のバルク材料を単一または少量の使用量を収容するように設計された容器に移すことが望まれるときその必要性があるので、缶の内部からバルク製品を他の特定の位置に移して所定量の上記バルク材料を受容する必要性が重要であるほどこの困難性が高いことが注目される。
【００１０】
缶の環状上部壁に設けられた開口部を通して放出されるバルク材料の方向と制御に関する従来技術の上述の欠点のため、本発明は、缶の上記上部開口部に取り付けられるとき、缶の内部に貯蔵された製品を上記上部開口部を通して制御可能に方向性のある放出を行うことを可能にする、本明細書で考えている種類の缶のための注ぎ蓋を提供する全体的な目的を有する。
【００１１】
さらに詳細な本発明の目的は、缶から放出されるバルク材料の流れを望ましい場所に導くように設置された注ぎ口を外部中央に組み込む、上述の注ぎ蓋を提供することである。
【００１２】
本発明のさらに他の目的は、缶の環状上部壁に固定されて留まることができ、缶の内面において上記環状上部壁の周辺領域よりも下位のレベルに位置するいかなる点も画定することのない、上で定義した注ぎ蓋を提供することである。
【課題を解決するための手段】
【００１３】
上述の目的を達成するため、本発明は、少なくとも１個の周辺側壁と周辺側壁に固定されて外縁部を有する環状上部壁を有する管状体と、管状体の内部に曲げられた内面と、開口部を画定する内縁部とを含む種類のバルク製品缶用注ぎ蓋を提供し、この管状体の環状上部壁は、その内面の任意の点が、管状体の内部で測定して、この点に対して放射状に外側に配列され隣接して配置されたこの内面の他の点の高さに少なくとも等しい高さで配置され、上記蓋は開口部に取り外し可能に固定され、開口部を閉じるために保持される。
【００１４】
本発明によれば、注ぎ蓋は、中央開口部が設けられて中央開口部に配列された管状突起を外部に保持する閉口壁を含み、蓋の閉口壁の内面の任意の点は、缶に搭載されるとき、管状体の内部で測定して、環状上部壁の内面の任意の他の点の高さに少なくとも等しい高さで配置される。
【００１５】
上で定義した構造によって、使用者は、上記ブラジル特許出願第ＰＩ０３０６６０８−８号明細書に記載された種類の蓋を取り除いた後、上述の種類の注ぎ蓋を用いて缶を再び閉じることができるが、注ぎ蓋は缶に貯蔵されたバルク製品の量を制御して放出する必要があるときだけ使用することができ、または製品を購入した後、缶の環状上部壁中に継続して取り付けを維持することも考えられる。
【００１６】
その自由端部領域に、元の閉じ蓋が本発明の注ぎ蓋目的物に置き換えられた後、バルク製品の継続的な消費量を缶の内部に密封貯蔵して保持することのできる、使用者によって手動で操作することのできる遮断具を設けた注ぎ蓋の管状突起の可能性もさらに考慮すべきである。
【００１７】
本明細書に開示される構造は、主として貯蔵製品が終了するとき、缶の側壁に隣接する領域から蓋の閉口壁に設けられた中央開口部に達して注ぎ口を画定する管状突起を通って外側へ展伸するまで、注ぎ蓋が貯蔵製品の自由な放射状流れに対する障害物を形成することを防止する。
【００１８】
本発明は、本発明の注ぎ蓋のための可能な構造の例として与えられる開示された図面を参照して以下に説明する。
【発明を実施するための最良の形態】
【００１９】
開示された図面の図に示すように、本発明は、粉体、粒子状または液体形状のバルク製品用缶に用いられ、一般に金属シートから作られて周辺側壁１１で円形断面、または複数の周辺側壁を備える任意の多角形断面（図示されない）を有する管状体１０を含み、管状体１０には、管状体１０の周辺側壁１１の上縁部１１ａに結合された通常二重継ぎ目の外縁部１２ａを有する環状上部壁１２が設けられ、上記環状上部壁１２には管状体１０の内部に曲げられた内面１２ｂが設けられ、内縁部１２ｃは開口１３を画定して管状体１０の内部へのアクセスを与える。
【００２０】
本発明の缶は、通常プラスチックから作られて前述の開口部１３に取り外し可能に固定された、開口部を閉じるために保持されるように構成された注ぎ蓋２０をさらに含む。
【００２１】
図示した構造によれば、缶の管状体１０の環状上部壁１２は、内面１２ｂの任意の点が、管状体１０の内部で測定して、この点に対して放射状に外側に配列され隣接して配置されたこの内面１２ｂの他の点の高さに少なくとも等しい高さで配置されるように作られるのが好ましい。
【００２２】
上で定義した好ましい構造は、環状上部壁１２の内面１２ｂの任意の放射状配列が、連続的な、または管状体１０の軸に直交する面上に存在する段差で中断することのできる１種の傾斜面の形状を取ることを可能にし、この傾斜面は周辺側壁１１から上方に管状体１０の開口部１３に向かって傾斜する。
【００２３】
図示された好ましい実施形態において、管状体１０の軸と同軸で同じ周縁状配列に配置された環状上部壁１２の内面１２ｂの点は上記軸に直交する面内に含まれ、環状上部壁１２は、円形断面を有する管状体１０に適用されるとき、管状体１０の軸の周りの母線の回転によって得られる回転面として画定され、上記環状上部壁１２の単一輪郭によって画定される。
【００２４】
図面の図に示したように、環状上部壁１２の内面１２ｂは、少なくともその放射状展伸部の一部に沿って、漸進的に連続的に開口部１３に向かって増加する高さを有するように構成される。
【００２５】
したがって、環状上部壁１２の内面１２ｂは、原理的に、管状体１０の軸に対して傾斜して、周辺側壁１１に固定された外縁部１２ａから開口部１３を画定する内縁部１２ｃへ展伸する直線部分の形状である。
【００２６】
いずれにしろ、通常、環状上部壁１２が周辺側壁１１の上縁部１１ａに二重継ぎされていることを考慮すると、環状上部壁１２は、管状体１０の周辺側壁１１に隣接して、管状体１０の軸の直交面に存在する外部放射状展伸部分１２ｄを備えるその内面１２ｂを有する。この外部放射状展伸部分１２ｄは、環状上部壁１２と周辺側壁１１の二重継ぎによるデバイス搭載を容易にする。
【００２７】
外部放射状展伸部分１２ｄ以外に、環状上部壁１２の内面１２ｂは、開口部１３に隣接して管状体１０の軸の直交面に存在する内部放射状展伸部分１２ｅをさらに有することが好ましく、上記面は、環状上部壁１２の内面１２ｂの上記外部放射状展伸部分１２ｄが含まれる直交面の高さよりも僅かに高い高さで全体的に平行に配置され、上記外部および内部放射状展伸部分１２ｄおよび１２ｅは、環状上部壁１２の上記内面１２ｂの円錐部分によって相互接続される。
【００２８】
やはり図示した構造によれば、環状上部壁１２の内縁部１２ｃ（図２）は、上方向に放射状に外方向に曲げられて、管状体１０の軸の直交面Ｐ内に中心を有し上記面Ｐと中央で交差する円弧の少なくとも一部によって画定される断面を備える円周リブ１５を形成する。
【００２９】
この構造において、注ぎ蓋２０は、外部に円周クレードル２３（図３）を画定する形状にされた周辺側面部分２２を組み込む閉じ壁２１を含み、下方に面する円弧の形状の断面を備え、注ぎ蓋２０が缶上に着座する際に、その内部に環状上部壁１２の円周リブ１５が固定される。
【００３０】
蓋２０の閉じ壁２１の周辺側面部分２２は、円周リブ１５が注ぎ蓋２０の円周クレードル２３中に固定されるとき、円周リブ１５上、また、場合によって、缶の環状上部壁１２の隣接部分上に着座する連続的な外部周辺フランジ２４を組み込むその上部部分を有し、注ぎ蓋を開口部１３中に固定して保持を維持する。
【００３１】
図面に示したように、本発明の好ましい実施形態において、環状上部壁１２の円周リブ１５は、管状断面を画定するように曲げられ、環状上部壁１２の内縁部１２ｃの曲げは、その自由端部が上記管状上部壁１２の外部面に隣接して配置されるように行われる。
【００３２】
円形管状断面を備える円周リブ１５は、注ぎ蓋２０がプラスチック材料から作られることによって、注ぎ蓋２０を管状体１０の開口部１３に対して固定および取り外す際に、１個または両方の部品の塑性変形が可能になる。
【００３３】
注ぎ蓋２０はプラスチック材料から作られて、その周辺側面部分２２が閉じ壁２１の窪んだ外縁部２５から上方へ突出するのが好ましい。
【００３４】
注ぎ蓋２０は、中央開口部２１ａを設けられ、閉じ壁２１の上記中央開口部２１ａに配列された注ぎ口を画定する管状突起２７を外部に組み込む閉じ壁２１を含む。管状突起２７は、分配すべきバルク製品の主な用途に良好に適合するように、直線状または完全にもしくは部分的に曲げることができ、上記管状突起は、使用者が購入するとき、缶または容器に供給される閉じ蓋を置き換えて、缶に用いられる注ぎ蓋２０に単一部品として組み込まれる。
【００３５】
図面、特に図２および図３に示したように、閉じ壁２１の周辺側面部分２２は、円周リブ１５に対して着座するように、Ｐ面の上部だけでなく下部に画定される展伸部によって外部のクレードル領域に構成することができ、管状体１０の環状上部壁１２中に固定されるとき、周辺側面部分２２と開口部１３の間の寸法的干渉によって、注ぎ蓋２０の軸上の保持を保証する。
【００３６】
注ぎ蓋２０が周辺側壁１１の領域から注ぎ蓋２０の中央開口部２１ａへ降下するバルク材料の放射状流れを妨げるのを回避するために、注ぎ蓋２０の閉じ壁２１は、その展伸部全体において、その窪んだ外縁部２５と周辺側面部分２２を、その開口部１３に隣接する環状上部壁１２の領域中に環状上部壁１２の内面１２ｂのレベルよりも低くないレベルで含むように設計される。
【００３７】
注ぎ蓋２０は、閉じ壁２１から間隔を置くその自由端部に定常的に開口するその管状突起２７を有することができ、または、好ましくは上記管状突起２７の自由端部に配置され、異なる構造を有して開口と閉口注ぎ蓋位置の間を手動で作動することのできる遮断具３０を設けることができる。
【００３８】
図３により良好に示される例示的構造において、遮断具はプラグの形を取り、管状突起２７の自由端部に取り外し可能に固定されて保持され、管状突起を閉じる。遮断具は、好ましくは単一部品で、蝶番および遮断具３０を保持するための輪として働くプラスチック帯３１によって上記管状突起２７に結合される概略プラグの形を取ることができる。
【００３９】
本明細書には本発明を実施する１つの方法を説明したが、本開示に伴う構造概念から逸脱することなく、構成部品の形状および配置を変更することができることを理解すべきである。
【図面の簡単な説明】
【００４０】
【図１】本発明によって作られた缶の上部およびそれぞれの注ぎ蓋の部分的に展開された直径方向断面の概要図である。
【図２】注ぎ蓋によって閉じられた缶の上部の部分的な直径方向断面の概要図である。
【図３】缶の環状上部壁および注ぎ蓋と上記環状上部壁の間の着座領域の輪郭を示す、図２の部分拡大概要図である。
【図４】図２と類似の概要図であるが、反転された位置にあり、注ぎ蓋およびその管状突起の開口部を通って重力で流れている製品の残留部分を含む缶を示す図である。
【図１】
2008540267.tif 000003
【図２】
2008540267.tif 000004
【図３】
2008540267.tif 000005
【図４】
2008540267.tif 000006
【国際調査報告】
2008540267.tif 000007
2008540267.tif 000008
2008540267.tif 000009